(57)【要約】【課題】タンク内の水抜き作業が容易であり、且つ、部品コストを削減可能な貯湯式温水器を提供する。【解決手段】本発明の貯湯式温水器（１）は、給水管から供給された水を加熱して貯湯するタンク（３）と、前記タンク内で生じる膨張水を排出する膨張水排水管（８）と、前記タンク内への給水を行いつつ前記タンク内の湯を排出して前記タンク内の湯水を入れ替える際に、前記タンク内の湯を排出する湯入替管（６）と、前記タンクの下方に設けられ、前記タンクへの給水が行われない状態で前記タンク内の湯水を排出する水抜管（８）と、を備え、前記水抜管は、前記膨張水排水管及び前記湯入替管の少なくとも一方の一部または全部を共用していることを特徴とする。【選択図】図３
2018040521.tif 000002
【特許請求の範囲】
【請求項１】
給水管から供給された水を加熱して貯湯するタンクと、
前記タンク内で生じる膨張水を排出する膨張水排水管と、
前記タンク内への給水を行いつつ前記タンク内の湯を排出して前記タンク内の湯水を入れ替える際に、前記タンク内の湯を排出する湯入替管と、
前記タンクの下方に設けられ、前記タンクへの給水が行われない状態で前記タンク内の湯水を排出する水抜管と、
を備え、
前記水抜管は、前記膨張水排水管及び前記湯入替管の少なくとも一方の一部または全部を共用していることを特徴とする貯湯式温水器。
【請求項２】
前記水抜管の下流端が、前記膨張水排水管及び前記湯入替管の両方と共用されている請求項１に記載の貯湯式温水器。
【請求項３】
前記膨張水排水管の下流端及び逃し弁が前記タンクの下方に設けられ、
前記水抜管は、前記逃し弁よりも上流側から前記膨張水排水管と共用されており、
前記逃し弁を開弁することにより前記水抜管から前記タンク内の湯水を排出する
請求項１または請求項２に記載の貯湯式温水器。
【請求項４】
前記湯入替管を開閉する電磁弁が前記タンクの下方に設けられ、
前記電磁弁よりも上流側で前記水抜管が前記湯入替管に接続されている
請求項１または請求項２に記載の貯湯式温水器。
【請求項５】
前記水抜管における水抜きを行うための前記電磁弁の制御に伴って前記タンクに設けられた加熱部の作動が停止される
請求項４に記載の貯湯式温水器。
【発明の詳細な説明】
【技術分野】
【０００１】
本発明は、貯湯式温水器に関する。
【背景技術】
【０００２】
従来、加熱手段を備えるタンク内において、供給された水を加熱して貯湯し、貯えられた湯を供給して蛇口から出湯させる貯湯式温水器が知られている（例えば、特許文献１）。このような貯湯式温水器には、タンクから蛇口まで湯を供給する給湯管の他に水抜管が設けられている。水抜管は、メンテナンス時や凍結防止を目的として、タンク内の水を抜くために設けられている。
【先行技術文献】
【特許文献】
【０００３】
【特許文献１】特開２０１５−７８７７４号公報
【発明の概要】
【発明が解決しようとする課題】
【０００４】
特許文献１の貯湯式温水器では、水抜きを行う際、排水栓の下方に洗面器等の容器を配置してタンク容量分の水を回収する必要があり、水抜き作業に手間がかかっていた。また、一般的な製品寿命において、タンクの水抜きを行うのは最後に温水器自体を付け替える際等、数回のみである。このように、水抜管は、使用頻度が少ないにも関わらず排水栓用の部品を設ける必要があり、コストの点で課題となっていた。
【０００５】
上記事情を踏まえ、本発明は、タンク内の水抜き作業が容易であり、且つ、部品コストを削減可能な貯湯式温水器を提供することを目的とする。
【課題を解決するための手段】
【０００６】
本発明に係る貯湯式温水器は、給水管から供給された水を加熱して貯湯するタンクと、前記タンク内で生じる膨張水を排出する膨張水排水管と、前記タンク内への給水を行いつつ前記タンク内の湯を排出して前記タンク内の湯水を入れ替える際に、前記タンク内の湯を排出する湯入替管と、前記タンクの下方に設けられ、前記タンクへの給水が行われない状態で前記タンク内の湯水を排出する水抜管と、を備え、前記水抜管は、前記膨張水排水管及び前記湯入替管の少なくとも一方の一部または全部を共用していることを特徴とする。
【０００７】
この発明によれば、水抜管が膨張水排水管及び湯入替管の少なくとも一方の一部または全部を共用するので、水抜管を膨張水排水管及び湯入替管の少なくとも一方と共用でき、使用頻度が少ない水抜管の部品を他の管と共用化できる。したがって、製造コストを抑え、且つメンテナンスが容易な貯湯式温水器を提供できる。
【０００８】
本発明に係る貯湯式温水器は、前記水抜管の下流端が、前記膨張水排水管及び前記湯入替管の両方と共用されていてもよい。
【０００９】
この発明によれば、水抜管の下流端が、膨張水排水管及び湯入替管の両方と共用できるため、水抜管の部品コストをより低く抑えることができる。また、タンク下において、水抜管の設置スペースを少なくすることができる。
【００１０】
本発明に係る貯湯式温水器において、前記膨張水排水管の下流端及び逃し弁が前記タンクの下方に設けられ、前記水抜管は、前記逃し弁よりも上流側から前記膨張水排水管と共用されており、前記逃し弁を開弁することにより前記水抜管から前記タンク内の湯水を排出してもよい。
【００１１】
この発明によれば、タンクの下方に膨張水排水管の下流端及び逃し弁が設けられ、水抜管が逃し弁よりも上流側から膨張水排水管と共用され、膨張水排水管の逃し弁を開弁することにより水抜管兼膨張水排水管からタンク内の湯水を排出できるので、水抜管専用の弁を設ける場合に比べて水抜管の部品コストを低く抑えることができる。
【００１２】
本発明に係る貯湯式温水器において、前記湯入替管を開閉する電磁弁が前記タンクの下方に設けられ、前記電磁弁よりも上流側で前記水抜管が前記湯入替管に接続されていてもよい。
【００１３】
この発明によれば、湯入替管の電磁弁がタンクの下方に設けられることにより、電磁弁が水抜管の弁として共用できる。したがって、湯入替管と水抜管とが一つの電磁弁の制御により切り替えることができる。水抜管専用の弁を設ける場合に比べて水抜管の部品コストを低く抑えることができる。
【００１４】
本発明に係る貯湯式温水器において、前記水抜管における水抜きを行うための前記電磁弁の制御に伴って前記タンクに設けられた加熱部の作動が停止されてもよい。
【００１５】
この発明によれば、タンク内の水を抜いた後にタンク内の加熱部が作動することを防ぎ、空焚きを防ぐことができる。
【発明の効果】
【００１６】
本発明に係る貯湯式温水器によれば、タンク内の水抜き作業が容易であり、且つ、部品コストを削減可能な貯湯式温水器を提供できる。
【図面の簡単な説明】
【００１７】
【図１】本発明の一実施形態に係る貯湯式温水器の斜視図である。
【図２】本発明の一実施形態に係る貯湯式温水器の内部の正面図である。
【図３】本発明の一実施形態に係る貯湯式温水器の内部構成を示す図である。
【図４】本発明の一実施形態の給水管継手の分解斜視図である。
【図５】本発明の一実施形態のタンク上部の部分断面図である。
【図６】本発明の一実施形態に係る貯湯式温水器の底面図である。
【図７】本発明の一実施形態に係る貯湯式温水器の取付態様を示す図である。
【図８】本発明の一実施形態の第一変形例の貯湯式温水器の内部構成を示す図である。
【図９】本発明の一実施形態に係る貯湯式温水器の水抜き処理時のフローチャートである。
【発明を実施するための形態】
【００１８】
本発明の一実施形態に係る貯湯式温水器について説明する。図１は、本実施形態に係る貯湯式温水器１の斜視図である。本実施形態に係る貯湯式温水器１は、シンク１００の上方の壁面に固定して使用される。貯湯式温水器１は、シンク１００上に設けられた混合水栓５及び排水口９に壁内の配管を介して接続されている。
【００１９】
図２は、貯湯式温水器１の内部の正面図である。図３は、貯湯式温水器１の内部構成を示す図である。図２に示すように、本実施形態に係る貯湯式温水器１は、給水管２と、タンク３と、給湯管４と、湯入替管・エア抜き管６と、膨張水排水管・水抜管８と、電源コード１０とを備え、これらが基台１１に固定されている。
【００２０】
給水管２は上流端が給水栓２０と接続され、下流端がタンク３と接続されている。給水管２には、上流から下流に向かって順に、フィルタ２１、逆止弁２２、減圧弁２３、サーミスタ２４、及びフローセンサ２５が設けられている。
【００２１】
図４に、給水管２に取り付けられる給水管継手２７の分解斜視図を示す。フィルタ２１は、図４に示すように、給水管継手２７に取り付けられている。フィルタ２１は、給水栓２０と減圧弁２３との間に設けることで、減圧弁２３へのごみ噛みを防止する。給水管継手２７は温水器１のカバー内に取付けてもよいし、温水器１に給水管２を接続する温水器給水口２０１に接続することで取り付けてもよい。
【００２２】
給水管継手２７の略筒状の継手本体２７１には上流側接続口２７２と、下流側接続口２７３と、フィルタ取付口２７４とを備える。継手本体２７１の長手軸方向の一端部に上流側接続口２７２が開口し、他端部にフィルタ取付口２７４が開口している。下流側接続口２７３は、フィルタ取付口２７４近傍において、継手本体２７１の外周面から突出し、上流側接続口２７２に対して直交する方向に開口している。上流側接続口２７２は給水栓２０側の給水管２と接続され、下流側接続口２７３はタンク３側の給水管２と接続される。フィルタ取付口２７４には、フィルタ固定部２８が挿入されて固定される。フィルタ固定部２８は、継手本体２７１内部に挿入可能な大きさの筒状のフィルタ２１を備える。フィルタ固定部２８が継手本体２７１内部に挿入されて固定されると、フィルタ２１が継手本体２７１の内周面側において下流側接続口２７３を覆う。給水管２から供給される水が給水管継手２７を通過すると、フィルタ２１により水中のゴミが除去される。給水管継手２７は、給水栓２０と共通の部品で構成することができ、フィルタ固定部２８に開閉可能な栓体を取り付ければ給水栓として使用可能である。
【００２３】
逆止弁２２、減圧弁２３、サーミスタ２４、及びフローセンサ２５は公知の部材である。フィルタ２１を通過した水が逆止弁２２を通過し、減圧弁２３により減圧されてタンク３に流入する。このとき、サーミスタ２４で給水管２の温度が検知され、給水管２の流水量がフローセンサ２５で検知される。
【００２４】
タンク３は、下端部に給水口が形成されており、給水口に給水管２の下流端が連結されている。タンク３の内部には、加熱部３１と、２つのサーミスタ３２，３３とを備える。加熱部３１は電熱線でありタンク３内の水を加熱する。タンク３内は満水状態に保持された密閉タンクである。タンク３内では下部の水温が低く、加熱部３１近傍から上部までは水温が高い。タンク３内の上下に設けられた２つのサーミスタ３２，３３によりタンク３内の上部及び下部の水温を検知し、不図示の制御部により加熱部の通電量が制御される。
【００２５】
図５は、タンク３上部の部分断面図である。タンク３の上端中央部に一つの給湯開口部３５が形成されている。給湯管４は、給湯開口部３５に挿入された接続継手３４を介して給湯開口部３５に接続されている。接続継手３４は、内部に出湯路３４２とエア抜き路３４０とを備え、一体に形成された一部品である。出湯路３４２とエア抜き路３４０とは、タンク３内に配設される上流側では平行に並んで延び、タンク３の上部に突出する下流側では、同じ高さで逆方向に延びるように通路が曲折している。
【００２６】
出湯路３４２の下流端には給湯管４が接続されている。図２に示すように、給湯管４は、タンク３の上面からわずかに離間した位置でタンク３の径方向に延びた後、下方に曲折し、タンク３の外周面に沿って下方に延びて形成されている。給湯管４の下流端は、シンク１００の上方に設けられた混合水栓５と接続されている。混合水栓５には、給水管２も接続されている。
【００２７】
エア抜き路３４０の下流端には、エア抜き管６が接続されている。エア抜き管６は、エア抜き路３４０の下流側の開口と接続されて給湯管４と反対側に延びた後、湾曲して給湯管４と略平行に延び、タンク３の上面からわずかに離間した位置でタンク３の径方向に延びた後、下方に曲折し、タンク３の外周面に沿って下方に延びて形成されている。エア抜き管６は、給湯時の気泡混入による吐水の乱れを防ぐために、タンク３内の加熱により生じたエアを脱気する管路であり、湯入替管６と同じ管で構成されている。
【００２８】
湯入替管６は、タンク３内への給水を行いつつタンク３内の湯を排出してタンク３内の湯水を入れ替える際に、タンク３内の湯を排出するための管路である。湯入替管６は、エア抜き管６と同じ管で構成されている。
【００２９】
図３に示すように、エア抜き管（湯入替管）６の上流端は接続継手のエア抜き路３４０を介してタンク３の上部と接続され、下流端は排水口９と接続されている。エア抜き管（湯入替管）６の上流端から下流端までの間には、公知の逆止弁６１と、電磁弁７０と、サーミスタ７１とを備える。給水管２のサーミスタ２４とフローセンサ２５との間の位置に給水管２の分岐部が設けられ、分岐された給水管２は、エア抜き管（湯入替管）６の逆止弁６１と電磁弁７０との間に接続されている。
【００３０】
膨張水排水管８は、密閉されたタンク３内が所定温度よりも高温になった時にタンク３内で生じた膨張水を外部に排出する管路である。膨張水排水管８は、タンク３の下方において給水管２から分岐し、排水口９まで延設されている。膨張水排水管８は、給水管２からの分岐部と排水口９との間に逃し弁８０を備える。逃し弁８０は、タンク３内で生じた膨張水によりタンク側の内圧が高くなると開弁し、膨張水を排水口９に排出する弁である。膨張水排水管８は湯入替管６のサーミスタ７１よりも下流側においてエア抜き管・湯入替管６と接続され、エア抜き管・湯入替管６の排水口９を共用している。膨張水排水管８は水抜管８と同じ管で構成されている。水抜管８はタンク３の下方に設けられ、タンク３への給水が行われない状態でタンク３内の湯水を排出する管である。逃し弁８０を含め、水抜管８は、タンク３の下方に配設されているので、逃し弁８０が開弁されると、タンク３内に貯められた水が流出して排水口９から排水されるように構成されている。したがって、給水栓２０を閉じた状態で逃し弁８０を強制的に開弁させれば、タンク３内の水を全て抜くことができる。なお、タンク３の下方とは、タンク３の底面よりも低い位置を指し、タンク３の直下の領域の他、図２に示すように、貯湯式温水器のケーシング１２,１３内におけるタンク３よりも低い位置も含む。
【００３１】
図６は、貯湯式温水器１の底面図である。本実施形態では、水抜管８がエア抜き管（湯入替管）６と接続されて、一つの排水口９を共用している。したがって、図６に示すように、貯湯式温水器１の基台１１の底面には、エア抜き管６と湯入替管６と水抜管８とを兼ねる管、給水管２、及び給湯管４の３つの管のみが設けられている。
【００３２】
貯湯式温水器１は、さらに、不図示の制御部及び制御部と接続された操作パネル１６を備える。操作パネル１６には表示部１７と複数の操作ボタン１８とを備える。表示部１７は、貯湯式温水器１の運転状況や水温等の他、操作情報が表示可能に構成されている。操作ボタン１８は、貯湯式温水器１の電源を入れる操作や給湯の設定等各種の入力操作を行う際に使用される。
【００３３】
図７は、貯湯式温水器１の取付態様を示す図である。図７に示すように、基台１１の背面には係止孔１４が形成されている。貯湯式温水器１を取り付ける壁面に、予め取り付けられた係止部材１５に係止孔１４を係止させることにより貯湯式温水器１の基台１１が壁面に取り付けられる。壁面に基台１１が係止されて固定された後、基台１１の上部が上カバー１２で覆われ、底面よりも下側は下カバー１３で覆われる。上カバー１２及び下カバー１３は前面と両側面を構成する三面からなる断面Ｕ字形状の部材である。上カバー１２は、基台１１の前側から壁面側に向かって覆うように配置して両側面を基台１１に係止させた状態で前面の下端部に設けられたビス孔にビス止めして、基台１１に固定する。下カバー１３は、上カバー１２の固定後に、上カバー１２の下端縁に係止させながら前側から壁面側に向かって押し込み、上カバー１２から下方に突出した固定部に対して底面を下から化粧ねじを用いて固定する。
【００３４】
次に、貯湯式温水器１の動作について説明する。タンク３内には給水管２からフィルタ２１を透過してゴミが除去された水で満たされている。タンク３内の水は加熱部３１が通電されることにより加熱され、タンク３内の上部の水が相対的に高温となる。タンク３の上部及び下部に設けられたサーミスタ３２，３３でタンク３内の水温を検知し、給湯が可能な状態が保たれるように制御部により加熱部３１の通電状態を制御する。
【００３５】
混合水栓５が開栓されると、タンク３上部の接続継手３４の出湯路３４２を介して給湯管４に湯が流通する。混合水栓５には、給水管２から分岐した分岐給水管２６が接続されているので、給水管２から給水の一部が分流し、湯と水とが合流して混合水栓５から温水が流出する。給湯管４内を湯が流通する量に応じて、給水管２からタンク３内に水が供給される。混合水栓５が再び閉栓されると給湯管４内の湯の流通が停止し、給水管２からタンク３への水の流入も停止する。
【００３６】
タンク３内の水を加熱する際、密閉されたタンク３内が所定温度よりも高温になった時に、タンク３の上部に気泡（エア）が発生する。タンク３の上部にエアが溜まった状態で水栓の蛇口を開くと、吐水中にエアが混入することで整流性が損なわれ、吐水が乱れる懸念がある。このような吐水の乱れを防ぐために、エア抜きが行われる。具体的には、タンク３上部に設けられたサーミスタ３３が所定値以上の温度を検知したとき、制御部においてタンク３内の溶存空気が気化し始めたと判定され、電磁弁７０を開弁する制御が行われる。電磁弁７０が開弁することにより、タンク３内のエアが接続継手３４のエア抜き路３４０を介してタンク３に連通しているエア抜き管６に設けられた逆止弁６１を通過してエア抜き管６の下流端に設けられた排水口９から排出される。
【００３７】
膨張水は、タンク３内の水を加熱する際にタンク３内の水の体積が膨張することで発生する。膨張水は、逃し弁８０の設定圧力を超えた体積分が随時排水口９から排出される。膨張水排水管８は給水管２から分岐しているため、排水口９から排出される膨張水の温度は高くなりにくい。しかし、加熱されたタンク内の湯が膨張水排出により給水側に下がってくることで、膨張水温が徐々に上がってくる場合がある。そこで、サーミスタ３２、３３によりタンク３内の温度を検知して、所定温度（例えば、８４度）以上となったときに、制御部は電磁弁７０を開弁する頻度を上げる制御を行う。電磁弁７０を開弁することで分岐給水管２９からの水が排出されるため、膨張水排水管８の下流側を冷却することができる。また、タンク３内にも給水されるため、タンク３内の湯が給水側に下がってきているのを押し上げて膨張水の排出温度を下げることができる。タンク３内が所定温度に達するまではエア抜きのために電磁弁７０をある頻度で開弁しているが、所定温度以上になってからは膨張水排水管８の冷却をする目的が加わるため、電磁弁７０の開弁頻度を上げる制御を行う。
【００３８】
次に、貯湯式温水器１では、湯を供給可能な状態を保つために、タンク３内に十分な量の湯を確保している。しかし、例えば、夜間や休日等、貯湯式温水器１の使用頻度が低下し、タンク３内の湯が長時間消費されずに貯留される場合がある。このような場合、湯の衛生状態を保つために、混合水栓５の操作とは独立してタンク３内の湯を放出する湯入れ替え処理が行われる。
【００３９】
湯入れ替え処理は、制御部において、混合水栓５の不使用時間やフローセンサ２５により検知される流水量に基づき、所定の条件を満たしたときに行われる。湯入れ替え処理の所定の条件が満たされたときに、制御部の制御により電磁弁７０が開弁される。電磁弁７０が開弁されると湯入替管６内に湯が流通して、排水口９から排出される。このとき、エア抜きの排水時と同様に給水管２の水が分岐給水管２９を介して流通するので、湯の温度が低下して温水として排水口９から排水される。
【００４０】
湯入れ替え処理は、フローセンサ２５により検知された給水管２の流水量が所定量となった場合、あるいはタンク３内のサーミスタ３３の検知温度が所定値以下となった場合に、制御部により電磁弁７０を閉じる処理が行われて終了する。
【００４１】
一方、貯湯式温水器１のメンテナンス時や交換時にはタンク３内の水を全て抜く水抜き処理が行われる。なお、タンク３内の空焚きを防止する為、水抜き処理時はあらかじめ電源を切ることで加熱部の動作を停止させておく必要がある。水抜き処理を行う場合、使用者は、手動により給水栓２０を閉じ、且つ逃し弁８０を操作して開弁する。水抜管８はタンク３の下方に位置するので逃し弁８０の開弁操作により自然と排水口９から排水される。
【００４２】
本実施形態に係る貯湯式温水器１によれば、水抜管８が膨張水排水管８と同じ管で構成されているため、使用頻度が少ない水抜管８を膨張水排水管８と共用できる。したがって、製造コストを抑え、且つメンテナンスが容易な貯湯式温水器１を提供できる。また、タンク３下において、水抜管８の設置スペースを少なくすることができる。
【００４３】
本実施形態に係る貯湯式温水器１によれば、タンク３の下方に膨張水排水管８の下流端及び逃し弁８０が設けられ、膨張水排水管８を水抜管８として使用できるため、逃し弁８０を開弁することによりタンク３内の湯水を、排水口９を介して排出できる。そのため、水抜管専用の排水口を設ける場合に比べて部品コストを低く抑えることができる。また、タンク３内の排水を排水口９から排水できるので、従来の洗面器で回収する場合と比べて、排水の回収作業が容易となる。
【００４４】
本実施形態に係る貯湯式温水器１によれば、貯湯式温水器１の基台１１の底面には、給水管２、給湯管４、及び排水管の３つの管のみが設けられる。すなわち、膨張水排水管８と、水抜管８と、エア抜き管６と、湯入替管６とが排水口９の前で合流し排水用の配管が１つになるため、貯湯式温水器１の設置作業時の配管作業が軽減される。
【００４５】
本実施形態では、上カバー１２を前側から壁面側に向かって配置し、固定後に、下カバー１３を上カバー１２の下端縁に係止させながら前側から壁面側に向かって押し込み、底面を下から化粧ねじで固定する構成であるため、設置場所に関わらず容易に設置できる。すなわち、貯湯式温水器１の設置場所が部屋の角部であり、一方の側面が壁面に接近した位置に貯湯式温水器１を設置する場合でも設置可能である。
【００４６】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。
【００４７】
上記実施形態では、給湯水栓として、混合水栓５のみが設けられた例を示しているが、熱湯のみが吐出される熱湯水栓を別途設けてもよい。この場合、給湯管４の分岐路を設けて熱湯水栓と接続すればよい。
【００４８】
本実施形態では、膨張水排水管の全部を水抜管と共通にしたが、下流側で合流させて排水口を共通にするだけでもよい。その場合、膨張水排水管のうち水抜管との合流位置よりも上流側はタンクの底面より高い位置でもよいため、上流端がタンク上部に接続されていてもよい。逃し弁の下流側で合流させた場合は、水抜き用の弁を別で設ければよい。タンクから排水口までの水抜管の経路がすべてタンクの下方にあればよい。
【００４９】
本実施形態では、膨張水排水管８と、水抜管８と、エア抜き管６と、湯入替管６とが同じ排水口９に接続されている例を示した。しかし、水抜管は、エア抜き管、湯入替管、膨張水排水管のうちの少なくとも一つの管と排水口が共用される構成であればよく、例えば、図８に示す変形例のような構成であってもよい。
【００５０】
上記実施形態の第一変形例を図８に示す。図８に示す変形例の貯湯式温水器１Ａでは、湯入替管６の下流側部分を水抜管８Ａとして共用する点で上記実施形態と相違する。以降の説明において、すでに説明したものと共通する構成等については、同一の符号を付して重複する説明を省略する。
【００５１】
貯湯式温水器１Ａでは、水抜管８Ａとして、給水管２の下流側部分と分岐給水管２９と、湯入替管６の下流側部分とを使用する。給水管２の下流側部分とは、給水管２とタンク３との接続部から分岐給水管２９との分岐部までの間の部分である。湯入替管６の下流側部分とは、湯入替管６のうち、分岐給水管２９と湯入替管６との接続部から排水口９までの部分である。分岐給水管２９には、逆止弁２９１が設けられている。分岐給水管２９は、湯入替管６の逆止弁６１と電磁弁７０との間に接続されているので、電磁弁７０が第一実施形態における逃し弁８０と同様に水抜き用の弁としての機能を備える。
【００５２】
図９に、本変形例の制御部における水抜き処理のフローチャートを示す。すなわち、水抜き処理を行う際、使用者は手動により給水栓２０を閉じた後、操作ボタン１８により水抜き開始操作を行う（ステップＳ１）。このとき、制御部は加熱部３１の通電の有無を判定する（ステップＳ２）。加熱部３１が通電中の場合（ＹＥＳ）、制御部は加熱部３１への通電を停止し（ステップＳ３）、その後、制御部は電磁弁７０を開弁する（ステップＳ４）。一方、加熱部３１が無通電の場合（ＮＯ）は、制御部はステップＳ４に進み、電磁弁７０を開弁する。電磁弁７０はタンク３の下方に設けられており、給水栓２０が閉じられているので、電磁弁７９が開弁されると、タンク３内の水は給水管２の上流側部分、分岐給水管２９、及び湯入替管６の下流側部分を流通して排水口９から自然と排水され水抜き処理が行われる。
【００５３】
次に、水抜き処理が終了したら、使用者が、操作パネル１６の操作ボタン１８を操作して水抜き処理の終了を入力する（ステップＳ５）。続いて、制御部により電磁弁７０の閉弁処理が行われ（ステップＳ６）、その後、制御部により貯湯式温水器１の電源がオフされて（ステップＳ７）、水抜き処理が終了する。
【００５４】
本変形例に係る貯湯式温水器１Ａによれば、湯入替管６の電磁弁７０がタンク３の下方に設けられることにより、電磁弁７０が水抜管８の弁として共用できる。したがって、湯入替管６と水抜管８Ａとを一つの電磁弁７０の制御により切り替えることができる。水抜管専用の弁を設ける場合に比べて水抜管の部品コストを低く抑えることができる。本実施形態に係る貯湯式温水器１によれば、水抜き処理時に制御部により加熱部３１の作動を停止するので、タンク３内の水を抜いた後にタンク３内の加熱部３１が作動することを防ぎ、空焚きを防ぐことができる。
【００５５】
本変形例において、膨張水排水経路を別で設けてもよい。膨張水排水経路を別で設けて排水口のみを他の管と共用してもよいし、膨張水排水経路用の排水口を独立して設けてもよい。水抜管を膨張水排水管及び湯入替管の少なくとも一方と接続することより、使用頻度が少ない水抜管の一部が共用され、部品点数を削減することができる。
【００５６】
上記実施形態では、出湯路３４２とエア抜き路３４０とを備え、一体的に形成された接続継手４３を用いる例を示したが、本実施形態の接続継手４３は必須の構成ではなく、給湯管４用の接続継手と、エア抜き管（湯入替管）用の接続継手とを個別に設けてもよい。
【００５７】
上記実施形態では、壁に固定する貯湯式温水器１の例を示したが、タンクの下方に排水管路を配置可能なスペースがある場合は、床に置いて使用する貯湯式温水器としても使用できる。また、排水口９をシンク上に設けてシンクに排水する例を示したが、水抜管から直接排水管に排出してもよい。
【符号の説明】
【００５８】
１  貯湯式温水器
２  給水管
３  タンク
４  給湯管
６  湯入替管、エア抜き管
８  水抜管、膨張水排水管
９  排水口
【図１】
2018040521.tif 000003
【図２】
2018040521.tif 000004
【図３】
2018040521.tif 000005
【図４】
2018040521.tif 000006
【図５】
2018040521.tif 000007
【図６】
2018040521.tif 000008
【図７】
2018040521.tif 000009
【図８】
2018040521.tif 000010
【図９】
2018040521.tif 000011